(57)【特許請求の範囲】
【請求項１】
モノポール型のアンテナを用いて無線通信する電子機器であって、
操作キーと、
前記操作キーに接続された信号線と、
前記信号線に接続され、前記操作キーが押下されたことを検出するための検出回路と、
前記操作キーが押下されたときに当該操作キーに接続される回路パターンと、
前記回路パターンとグランドとを接続するためのグランド線と、
前記無線通信に用いる第１の周波数帯の交流電力を、前記回路パターンに給電するための給電回路とを備え、
前記電子機器は、
前記信号線上に設けられた、前記第１の周波数帯の交流を遮断するための第１の電子部品と、
前記給電回路と前記回路パターンとを接続する配線上に設けられた、直流を遮断するための第２の電子部品と、
前記グランド線上に設けられた、前記第１の周波数帯の交流を遮断するための第３の電子部品とをさらに備える、電子機器。
【請求項２】
グランド接地型のアンテナを用いて無線通信する電子機器であって、
操作キーと、
前記操作キーに接続された信号線と、
前記信号線に接続され、前記操作キーが押下されたことを検出するための検出回路と、
グランドに接続されるとともに、前記操作キーが押下されたときに当該操作キーに接続される回路パターンと、
前記無線通信に用いる第１の周波数帯の交流電力を、前記回路パターンに給電するための給電回路とを備え、
前記電子機器は、
前記信号線に設けられた、前記第１の周波数帯の交流を遮断するための第１の電子部品と、
前記給電回路と前記回路パターンとを接続する配線上設けられた、直流を遮断するための第２の電子部品とをさらに備える、電子機器。
【請求項３】
前記第２の電子部品は、前記直流および前記第１の周波数帯よりも低い周波数帯の交流を遮断する、請求項１または２に記載の電子機器。
【請求項４】
前記給電回路は、マルチバンド方式で前記無線通信を行なうために、前記第１の周波数帯よりも高い第２の周波数帯の交流電力を、前記回路パターンにさらに給電可能であって、
前記回路パターンは、前記第１の周波数帯の無線通信において前記アンテナとして利用する第１の領域と、前記第２の周波数帯の無線通信において前記アンテナとして利用する第２の領域とを含む、請求項１から３のいずれか１項に記載の電子機器。
【請求項５】
前記第１の電子部品は、前記第１の周波数帯の交流を遮断する第１のフィルタと、前記第２の周波数帯の交流を遮断する第２のフィルタとを含む、請求項４に記載の電子機器。
【請求項６】
前記第１の電子部品および前記第２の電子部品の各々は、分布定数回路で構成される、請求項３に記載の電子機器。
【請求項７】
モノポール型のアンテナを複数用いてマルチバンド方式で無線通信する電子機器であって、
第１の操作キーと、
前記第１の操作キーに接続された第１の信号線と、
第２の操作キーと、
前記第２の操作キーに接続された第２の信号線と、
前記第１の信号線と前記第２の信号線とに接続され、前記第１の操作キーが押下されたことおよび前記第２の操作キーが押下されたことを検出するための検出回路と、
前記第１の操作キーが押下されたときに当該第１の操作キーに接続される第１の回路パターンと、
前記第１の回路パターンとグランドとを接続するための第１のグランド線と、
前記無線通信に用いる第１の周波数帯の交流電力を、前記第１の回路パターンに給電するための第１の給電回路と、
前記第２の操作キーが押下されたときに当該第２の操作キーに接続される第２の回路パターンと、
前記第２の回路パターンとグランドとを接続するための第２のグランド線と、
前記無線通信に用いる前記第１の周波数帯よりも高い第２の周波数帯の交流電力を、前記第２の回路パターンに給電するための第２の給電回路とを備え、
前記電子機器は、
前記第１の信号線上に設けられた、前記第１の周波数帯の交流を遮断するための第１の電子部品と、
前記第１の給電回路と前記第１の回路パターンとを接続する配線上に設けられた、直流を遮断するための第２の電子部品と、
前記第１のグランド線上に設けられた、前記第１の周波数帯の交流を遮断するための第３の電子部品と、
前記第２の信号線上に設けられた、前記第２の周波数帯の交流を遮断するための第４の電子部品と、
前記第２の給電回路と前記第２の回路パターンとを接続する配線上に設けられた、直流を遮断するための第５の電子部品と、
前記第２のグランド線上に設けられた、前記第２の周波数帯の交流を遮断するための第６の電子部品とをさらに備える、電子機器。
【請求項８】
前記第２の電子部品および前記第５の電子部品の各々は、前記直流および前記第１の周波数帯よりも低い周波数帯の交流を遮断する、請求項７に記載の電子機器。
【請求項９】
グランド接地型のアンテナを複数用いてマルチバンド方式で無線通信する電子機器であって、
第１の操作キーと、
前記第１の操作キーに接続された第１の信号線と、
第２の操作キーと、
前記第２の操作キーに接続された第２の信号線と、
前記第１の信号線と前記第２の信号線とに接続され、前記第１の操作キーが押下されたことおよび前記第２の操作キーが押下されたことを検出するための検出回路と、
グランドに接続されるとともに、前記第１の操作キーが押下されたときに当該第１の操作キーに接続される第１の回路パターンと、
前記無線通信に用いる第１の周波数帯の交流電力を、前記第１の回路パターンに給電するための第１の給電回路と、
グランドに接続されるとともに、前記第２の操作キーが押下されたときに当該第２の操作キーに接続される第２の回路パターンと、
前記無線通信に用いる前記第１の周波数帯よりも高い第２の周波数帯の交流電力を、前記第２の回路パターンに給電するための第２の給電回路とを備え、
前記電子機器は、
前記第１の信号線に設けられた、前記第１の周波数帯の交流を遮断するための第１の電子部品と、
前記第１の給電回路と前記第１の回路パターンとを接続する配線上に設けられた、直流を遮断するための第２の電子部品と、
前記第２の信号線に設けられた、前記第２の周波数帯の交流を遮断するための第３の電子部品と、
前記第２の給電回路と前記第２の回路パターンとを接続する配線上に設けられた、直流を遮断するための第４の電子部品とをさらに備える、電子機器。
【請求項１０】
前記第２の電子部品および前記第４の電子部品の各々は、前記直流および前記第１の周波数帯よりも低い周波数帯の交流を遮断する、請求項９に記載の電子機器。
【発明の詳細な説明】
【技術分野】
【０００１】
本発明は、無線通信する電子機器に関する。特に、本発明は、モノポール型のアンテナまたはグランド接地型のアンテナを用いて無線通信する電子機器に関する。
【背景技術】
【０００２】
従来、ストレート形状の携帯型電話機等では、通話時においてユーザへの電磁波の影響を低減するために、一般的にはセルラー通信用のアンテナを筐体の下部に内蔵している。しかしながら、このような構成では、携帯型電話機の操作キー（ハードウェアキー）の動作がアンテナ特性に影響を及ぼす。
【０００３】
そこで、従来では、操作キーのグランドパターンにインダクタ（詳しくは、チョークコイル）を挿入することによって、高周波側では当該グランドパターンを高いインピーダンスに見せている。つまり、高周波的にはグランドパターンが細切れになって見える。これにより、高周波にとってはグランドパターンの抵抗が大きくなる。それゆえ、高周波は、グランドパターンを通ることができない。したがって、操作キーの動作によるアンテナ特性への影響をある程度は低減できる。しかしながら、グランドパターンへのインダクタの挿入だけでは、操作キーの動作によるアンテナ特性への影響を十分に回避できない。
【０００４】
そこで、上述した操作キーのグランドパターンへのインダクタの挿入に加えて、携帯型電話機の筐体の厚み方向にアンテナを操作キーから逃がすように配置することが行なわれている。図１１は、筐体の厚み方向にアンテナを操作キーから逃がすように配置した構成を表した図である。図１１を参照して、操作キー９１１ａ，９１１ｂ，９１１ｃ用の各種配線が設けられた回路基板９１０と、アンテナ９２４が設けられたアンテナ基板９２０とが、筐体の厚み方向に重ねる位置に配されている。なお、操作キー９１１ａ，９１１ｂ，９１１ｃのグランドパターン９１４は、いずれかの操作キーが押下されたとき、当該押下された操作キーに接続される。
【０００５】
このような構成によって、操作キーの動作によるアンテナ特性への影響を実用レベルにまで低減することができる。特に、アンテナ９２４と操作キー９１１ａ，９１１ｂ，９１１ｃとの厚み方向の距離を大きくするほど、操作キーの動作によるアンテナ特性への影響を小さくすることができる。
【０００６】
しかしながら、筐体の厚み方向にアンテナを操作キーから逃がすように配置する場合、携帯型電話機の大型化、携帯型電話機のデザイン性の欠如を招く。また、グランドパターンにインダクタを挿入する構成の場合、グランドパターン上においてインダクタの数が大幅に増加してしまう。
【０００７】
このように筐体内の金属部品からアンテナ特性への影響を回避する方法として、筐体内の金属部品をアンテナとして利用する技術が開発されている。たとえば、特許文献１には、携帯無線端末に内蔵されたスピーカをアンテナとして利用する構成が開示されている。当該携帯無線端末は、具体的には、高周波数帯で動作するアンテナを構成する第１および第２のアンテナエレメントの一端をそれぞれ第１および第２の低域遮断手段を介して高周波信号源の両端に接続している。また、第１および第２のアンテナエレメントの一端を第１および第２の高域遮断手段を介してそれぞれ低周波信号源の両端に接続している。第１および第２のアンテナエレメントの両他端の間に低周波数帯で動作する他の電気部品（スピーカ）に接続している。
【０００８】
また、特許文献２には、折畳型の無線端末装置のヒンジをマルチバンド用のアンテナとして利用する構成が開示されている。当該無線端末装置は、具体的には、金属回転ヒンジと、給電部と、フィルタ回路と、放射素子と、金属バネとを備える。フィルタ回路は、周波数ｆ１の電流を遮断させ、周波数ｆ２の電流を通過させる構成とする。周波数ｆ１においては、金属回転ヒンジと金属バネをアンテナ素子として用い、周波数ｆ２においては、金属回転ヒンジと金属バネとフィルタ回路と放射素子をアンテナ素子として用いる。
【先行技術文献】
【特許文献】
【０００９】
【特許文献１】特開２００６−２４５８６６号公報
【特許文献２】特開２０１１−１４２４８４号公報
【発明の概要】
【発明が解決しようとする課題】
【００１０】
特許文献１，２は、それぞれ、スピーカとヒンジとをアンテナとして利用する構成を開示しているが、スピーカおよびヒンジ以外の金属部品をアンテナとして利用する構成については開示していない。具体的には、特許文献１，２には、携帯型電話機等の無線通信する電子機器の操作キー（ハードウェアキー）のグランドパターンをアンテナとして利用する構成について開示されていない。
【００１１】
操作キーは、操作キーのオン・オフによって、低周波側の回路構成が切換る。具体的には、操作キーと、操作キーの押下を検知するための検知装置に接続される信号線とが、操作キーのオンにより非接続状態から接続状態に切換る。このため、操作キーのオンのときのアンテナ特性と、オフのときのアンテナ特性とが大きく異なってしまう。
【００１２】
それゆえ、特許文献１，２に開示された技術を単に操作キーに転用するだけでは、操作キーのグランドパターンをアンテナとして利用できない。
【００１３】
本願発明は上記の問題点に鑑みなされたものであって、その目的は、操作キーのグランドパターンをアンテナパターンとしても利用可能とする電子機器を提供することにある。
【課題を解決するための手段】
【００１４】
本発明のある局面に従うと、電子機器は、モノポール型のアンテナを用いて無線通信する電子機器は、操作キーと、操作キーに接続された信号線と、信号線に接続され、操作キーが押下されたことを検出するための検出回路と、操作キーが押下されたときに当該操作キーに接続される回路パターンと、回路パターンとグランドとを接続するためのグランド線と、無線通信に用いる第１の周波数帯の交流電力を、回路パターンに給電するための給電回路とを備える。電子機器は、信号線上に設けられた、第１の周波数帯の交流を遮断するための第１の電子部品と、給電回路と回路パターンとを接続する配線上に設けられた、直流を遮断するための第２の電子部品と、グランド線上に設けられた、第１の周波数帯の交流を遮断するための第３の電子部品とをさらに備える。
【００１５】
本発明の他の局面に従うと、電子機器は、グランド接地型のアンテナを用いて無線通信する。電子機器は、操作キーと、操作キーに接続された信号線と、信号線に接続され、操作キーが押下されたことを検出するための検出回路と、グランドに接続されるとともに、操作キーが押下されたときに当該操作キーに接続される回路パターンと、無線通信に用いる第１の周波数帯の交流電力を、回路パターンに給電するための給電回路とを備える。電子機器は、信号線に設けられた、第１の周波数帯の交流を遮断するための第１の電子部品と、給電回路と回路パターンとを接続する配線上設けられた、直流を遮断するための第２の電子部品とをさらに備える。
【００１６】
好ましくは、第２の電子部品は、直流および第１の周波数帯よりも低い周波数帯の交流を遮断する。
【００１７】
好ましくは、給電回路は、マルチバンド方式で無線通信を行なうために、第１の周波数帯よりも高い第２の周波数帯の交流電力を、回路パターンにさらに給電可能である。回路パターンは、第１の周波数帯の無線通信においてアンテナとして利用する第１の領域と、第２の周波数帯の無線通信においてアンテナとして利用する第２の領域とを含む。
【００１８】
好ましくは、第１の電子部品は、第１の周波数帯の交流を遮断する第１のフィルタと、第２の周波数帯の交流を遮断する第２のフィルタとを含む。
【００１９】
好ましくは、第１の電子部品および第２の電子部品の各々は、分布定数回路で構成される。
【００２０】
本発明のさらに他の局面に従うと、電子機器は、モノポール型のアンテナを複数用いてマルチバンド方式で無線通信する。電子機器は、第１の操作キーと、第１の操作キーに接続された第１の信号線と、第２の操作キーと、第２の操作キーに接続された第２の信号線と、第１の信号線と第２の信号線とに接続され、第１の操作キーが押下されたことおよび第２の操作キーが押下されたことを検出するための検出回路と、第１の操作キーが押下されたときに当該第１の操作キーに接続される第１の回路パターンと、第１の回路パターンとグランドとを接続するための第１のグランド線と、無線通信に用いる第１の周波数帯の交流電力を、第１の回路パターンに給電するための第１の給電回路と、第２の操作キーが押下されたときに当該第２の操作キーに接続される第２の回路パターンと、第２の回路パターンとグランドとを接続するための第２のグランド線と、無線通信に用いる第１の周波数帯よりも高い第２の周波数帯の交流電力を、第２の回路パターンに給電するための第２の給電回路とを備える。電子機器は、第１の信号線上に設けられた、第１の周波数帯の交流を遮断するための第１の電子部品と、第１の給電回路と第１の回路パターンとを接続する配線上に設けられた、第１の周波数帯よりも低い周波数帯の交流および／または直流を遮断するための第２の電子部品と、第１のグランド線上に設けられた、第１の周波数帯の交流を遮断するための第３の電子部品と、第２の信号線上に設けられた、第２の周波数帯の交流を遮断するための第４の電子部品と、第２の給電回路と第２の回路パターンとを接続する配線上に設けられた、第１の周波数帯よりも低い周波数帯の交流および／または直流を遮断するための第５の電子部品と、第２のグランド線上に設けられた、第２の周波数帯の交流を遮断するための第６の電子部品とをさらに備える。
【００２１】
好ましくは、第２の電子部品および第５の電子部品の各々は、直流および第１の周波数帯よりも低い周波数帯の交流を遮断する。
【００２２】
本発明のさらに他の局面に従うと、電子機器は、グランド接地型のアンテナを複数用いてマルチバンド方式で無線通信する。電子機器は、第１の操作キーと、第１の操作キーに接続された第１の信号線と、第２の操作キーと、第２の操作キーに接続された第２の信号線と、第１の信号線と第２の信号線とに接続され、第１の操作キーが押下されたことおよび第２の操作キーが押下されたことを検出するための検出回路と、グランドに接続されるとともに、第１の操作キーが押下されたときに当該第１の操作キーに接続される第１の回路パターンと、無線通信に用いる第１の周波数帯の交流電力を、第１の回路パターンに給電するための第１の給電回路と、グランドに接続されるとともに、第２の操作キーが押下されたときに当該第２の操作キーに接続される第２の回路パターンと、無線通信に用いる第１の周波数帯よりも高い第２の周波数帯の交流電力を、第２の回路パターンに給電するための第２の給電回路とを備える。電子機器は、第１の信号線に設けられた、第１の周波数帯の交流を遮断するための第１の電子部品と、第１の給電回路と第１の回路パターンとを接続する配線上に設けられた、第１の周波数帯よりも低い周波数帯の交流および／または直流を遮断するための第２の電子部品と、第２の信号線に設けられた、第２の周波数帯の交流を遮断するための第３の電子部品と、第２の給電回路と第２の回路パターンとを接続する配線上に設けられた、第１の周波数帯よりも低い周波数帯の交流および／または直流を遮断するための第４の電子部品とをさらに備える。
【００２３】
好ましくは、第２の電子部品および第４の電子部品の各々は、直流および第１の周波数帯よりも低い周波数帯の交流を遮断する。
【発明の効果】
【００２４】
本発明によれば、操作キーのグランドパターンをアンテナパターンとしても利用可能となる。
【図面の簡単な説明】
【００２５】
【図１】携帯型電話機１の外観構成を表した図である。
【図２】携帯型電話機１に内蔵される回路基板１０を説明するための図である。
【図３】高周波側の回路と低周波側の回路とを説明するための図である。
【図４】携帯型電話機１に内蔵される回路基板１０Ａを説明するための図である。
【図５】携帯型電話機１がデュアルバンド（８００ＭＨｚ帯，２ＧＨｚ帯）でセルラー通信を実現するための回路基板１０Ｂ，１０Ｃを説明するための図である。
【図６】回路基板１０Ｂ，１０Ｃにおける高周波カット用の電子部品１８ａの回路構成を表した図である。
【図７】携帯型電話機１がトリプルバンド（８００ＭＨｚ帯，１．５ＧＨｚ帯，２ＧＨｚ帯）でセルラー通信を実現するための回路基板１０Ｄ，１０Ｅを説明するための図である。
【図８】回路基板１０Ｄ，１０Ｅにおける高周波カット用の電子部品１８ａの回路構成を表した図である。
【図９】携帯型電話機１がデュアルバンド（８００ＭＨｚ帯，２ＧＨｚ帯）でセルラー通信を実現するための回路基板１０Ｆを説明するための図である。
【図１０】携帯型電話機１がデュアルバンド（８００ＭＨｚ帯，２ＧＨｚ帯）でセルラー通信を実現するための回路基板１０Ｇを説明するための図である。
【図１１】筐体の厚み方向にアンテナを操作キーから逃がすように配置した構成を表した図である。
【発明を実施するための形態】
【００２６】
以下、図面を参照しつつ、本発明の実施の形態に係る電子機器について説明する。以下の説明では、同一の部品には同一の符号を付してある。それらの名称および機能も同じである。したがって、それらについての詳細な説明は繰り返さない。
【００２７】
電子機器としては、たとえば、携帯型電話機、スマートフォン等の無線通信を行なう携帯型の無線通信装置が挙げられる。以下では、電子機器として携帯型電話機を例に挙げて説明する。また、無線通信として、セルラー通信を例に挙げて説明する。ただし、無線通信は、セルラー通信に限定されるものではなく、無線ＬＡＮ（Local Area Network）等の他の通信規格を用いる無線通信であってもよい。
【００２８】
＜Ａ．ハードウェア構成＞
図１は、本実施の形態に係る携帯型電話機１の外観構成を表した図である。図１を参照して、携帯型電話機１は、ストレート型の端末である。携帯型電話機１は、液晶ディスプレイ９と、複数の操作キー１１ａ，１１ｂ，１１ｃとを備えている。各操作キー１１ａ，１１ｂ，１１ｃは、ハードウェアキーである。なお、携帯型電話機１では、３つの操作キーを有する構成を例に挙げているが、操作キーの数は３つに限定されるものではない。また、以下では、操作キー１１ａ、１１ｂ、１１ｃを総称して、「操作キー１１」とも称する。
【００２９】
図２は、携帯型電話機１に内蔵される回路基板１０を説明するための図である。詳細については、後述するが、携帯型電話機１は、回路基板１０の構成によって、モノポール型アンテナを用いたセルラー通信を行なう電話機として機能する。回路基板１０は、液晶ディスプレイ９と平行な位置に配置される。
【００３０】
図２を参照して、回路基板１０には、３つの信号線１２ａ，１２ｂ，１２ｃと、検出回路１３と、回路パターン１４と、グランド線１５と、給電回路１６と、配線１７と、３つの電子部品１８ａ、１８ｂ、１８ｃと、電子部品１９と、電子部品２０とが配置されている。なお、以下では、信号線１２ａ，１２ｂ，１２ｃを総称して、「信号線１２」とも称する。また、電子部品１８ａ，１８ｂ，１８ｃを総称して、「電子部品１８」とも称する。
【００３１】
信号線１２ａは、操作キー１１ａに接続されている。信号線１２ｂは、操作キー１１ｂに接続されている。信号線１２ｃは、操作キー１１ｃに接続されている。
【００３２】
検出回路１３は、信号線１２ａ，１２ｂ，１２ｃに接続され、操作キー１１ａ，１１ｂ，１１ｃが押下されたことを検出する。なお、検出回路１３は、従来から用いられている、出力電圧を検出するスキャン回路である。それゆえ、検出回路１３の具体的な回路構成については、ここでは説明を繰り返さない。
【００３３】
回路パターン１４は、操作キー１１ａが押下されたときに、操作キー１１ａに接続される。また、回路パターン１４は、操作キー１１ｂが押下されたときに、操作キー１１ｂに接続される。回路パターン１４は、操作キー１１ｃが押下されたときに、操作キー１１ｃに接続される。
【００３４】
グランド線１５は、回路パターン１４とグランド（ＧＮＤ）とを接続するための配線である。
【００３５】
給電回路１６は、セルラー通信に用いる周波数帯の交流電力を、回路パターン１４に給電するための給電回路である。以下では、給電回路１６が、第１の周波数帯として８００ＭＨｚ帯の交流電力を回路パターン１４に給電する場合を例に挙げて説明する。また、給電回路１６による回路パターン１４への給電位置９１は、回路パターン１４を８００ＭＨｚ帯で共振させる位置である。
【００３６】
電子部品１８ａは、信号線１２ａ上に設けられた、８００ＭＨｚ帯の交流を遮断するための高周波カット用の電子部品である。電子部品１８ｂは、信号線１２ｂ上に設けられた、８００ＭＨｚ帯の交流を遮断するための高周波カット用の電子部品である。電子部品１８ｃは、信号線１２ｃ上に設けられた、８００ＭＨｚ帯の交流を遮断するための高周波カット用の電子部品である。電子部品１８ａ，１８ｂ，１８ｃは、インダクタ（たとえばチョークコイル）である。
【００３７】
電子部品１９は、給電回路１６と回路パターン１４とを接続する配線１７上に設けられた、８００ＭＨｚ帯よりも低い予め定められた周波数帯の交流およびは直流（以下、説明の便宜上、「低周波」とも称する）を遮断するための低周波カット用の電子部品である。電子部品１９は、たとえばコンデンサである。ここで、「８００ＭＨｚ帯よりも低い予め定められた周波数帯」とは、携帯型電話機１に搭載される無線システムでは使われないような低い周波数帯（たとえば１００ＭＨｚ以下の周波数）を意味する。つまり、低周波とは、無線システムで使われる高周波信号とは違う、電子部品で本来使われる信号やバイアス電圧を意味する。具体例を挙げれば、スピーカなどは音声信号の周波数帯が該当する。また、直流の例としては、操作キー１１に印加される直流電圧が挙げられる。携帯型電話機１が、低周波カット用の電子部品１９を備える主たる目的は、操作キー１１の押下の検出に使われる直流電圧により、高周波回路側が破壊されることを防ぐためである。
【００３８】
電子部品２０は、グランド線１５上に設けられた、８００ＭＨｚ帯の交流を遮断するための高周波カット用の電子部品である。電子部品２０は、電子部品１８ａ，１８ｂ，１８ｃと同様に、インダクタ（たとえばチョークコイル）である。
【００３９】
以上の構成によって、携帯型電話機１は、回路パターン１４を操作キー１１ａ，１１ｂ，１１ｃのグランドパターンとして用いるとともに、回路パターン１４をセルラー通信用のモノポール型アンテナとしても用いる。
【００４０】
以下、携帯型電話機１の状態を、操作キー１１のオフ時とオン時とに分けて説明する。つまり、携帯型電話機１の状態を、ユーザが操作キー１１を押下していない場合と、操作キー１１を押下した場合とにわけて説明する。
【００４１】
＜Ｂ．操作キーオフ時＞
（ｂ１．低周波側）
ユーザが操作キー１１を押下していない場合、信号線１２と回路パターン１４とは接続されていない。このため、モノポール型アンテナとして機能する回路パターン１４には、検出回路１３および信号線１２による影響はない。
【００４２】
（ｂ２．高周波側）
ユーザが操作キー１１を押下していない場合、浮遊容量によって、信号線１２と回路パターン１４とが結合するとも考えられる。つまり、高周波側では、信号線１２と回路パターン１４とが接続されたように見えるようにも思われる。しかしながら、携帯型電話機１は、３つの高周波カット用の電子部品１８ａ，１８ｂ，１８ｃを備えている。このため、携帯型電話機１では、アンテナ特性の損失を抑えることができる。
【００４３】
また、回路パターン１４は、電子部品１９を介して、給電回路１６から給電を受ける。電子部品１９は、上述したように低周波カット用の電子部品である。このため、回路パターン１４には、高周波側（８００ＭＨｚ帯）の交流が供給できる。それゆえ、電子部品１９による影響はない。
【００４４】
＜Ｃ．操作キーオン時＞
（ｃ１．低周波側）
ユーザが操作キー１１を押下した場合、操作キー１１と回路パターン１４とが接続される。また、回路パターン１４は、高周波カット用の電子部品２０を介してグランドに接続されている。それゆえ、携帯型電話機１では、回路パターン１４を、操作キー１１用のグランドパターンとして用いることができる。
【００４５】
また、操作キー１１を押下した場合、上述したように、電子部品１９によって、上述した低周波を遮断することができる。つまり、低周波側にとっては、高周波側の回路は見えない。それゆえ、低周波側の回路は、当該回路が給電回路１６とつながっていないのと同じ動作を行なうことができる。したがって、上述したように、検出回路１３における操作キー１１ａ，１１ｂ，１１ｃの押下の検出に影響を与えることを防止できる。
【００４６】
（ｃ２．高周波側）
３つの高周波カット用の電子部品１８ａ，１８ｂ，１８ｃによって、操作キー１１がオン状態からオフ状態になっても、アンテナの特性が変化しない。また、グランドに接続された高周波カット用の電子部品２０によって、給電回路１６から供給される高周波の電力がグランドに落ちることもない。逆に言えば、電子部品２０を設けておかないと、給電回路１６とグランドとが高周波的に接続された形となり、所望の特性が得られない場合がある。
【００４７】
このように、電子部品１８および電子部品２０によって、操作キー１１がオフ状態からオン状態となっても、回路パターン１４によって実現されるアンテナの特性は変化しない。それゆえ、携帯型電話機１では、低周波側ではグランドパターンとして用いられる回路パターン１４を、高周波側ではセルラー通信用のアンテナとして用いることができる。
【００４８】
＜Ｄ．まとめ＞
図３は、高周波側の回路と低周波側の回路とを説明するための図である。具体的には、図３は、互いに並存する高周波側の回路と低周波側の回路とを、説明の便宜上分離して表した図である。
【００４９】
図３（ａ）は、高周波側の回路を表した図である。図３（ｂ）は、低周波側の回路を表した図である。図３（ａ）を参照して、高周波側の回路は、給電回路１６と回路パターン１４とで構成される。図３（ｂ）を参照して、低周波側の回路は、３つの信号線１２ａ，１２ｂ，１２ｃと、検出回路１３と、回路パターン１４と、グランド線１５とで構成される。
【００５０】
以上のように、携帯型電話機１は、モノポール型アンテナを用いて無線通信する電子機器である。携帯型電話機１は、（i）操作キー１１と、（ii）操作キー１１に接続された信号線１２と、（iii）信号線１２に接続され、操作キー１１が押下されたことを検出するための検出回路１３と、（iv）操作キー１１が押下されたときに操作キー１１に接続される回路パターン１４と、（v）回路パターン１４とグランドとを接続するためのグランド線１５と、（vi）無線通信に用いる８００ＭＨｚ（第１の周波数帯）の交流電力を、回路パターン１４に給電するための給電回路１６とを備える。給電回路１６による回路パターン１４への給電位置９１は、回路パターン１４を８００ＭＨｚ帯で共振させる位置である。
【００５１】
また、携帯型電話機１は、（vii）信号線１２上に設けられた、８００ＭＨｚ帯の交流を遮断するための電子部品１８と、（viii）給電回路１６と回路パターン１４とを接続する配線１７上に設けられた、８００ＭＨｚ帯よりも低い周波数帯の交流および直流（低周波）を遮断するための電子部品１９と、（ix）グランド線１５上に設けられた、８００ＭＨｚ帯の交流を遮断するための電子部品２０とをさらに備える。
【００５２】
このような構成によって、回路パターン１４は、操作キーのグランドパターンとしても、アンテナパターンとしても機能することになる。言い換えれば、携帯型電話機１は、操作キーのグランドパターンをアンテナパターンとしても利用可能となる。
【００５３】
＜Ｅ．変形例＞
（ｅ１．第１の変形例）
上記においては、携帯型電話機１が回路基板１０の構成によって、モノポール型アンテナを用いたセルラー通信を行なう電話機として機能する場合を例に挙げて説明した。以下では、携帯型電話機１が回路基板の構成によって、グランド接地型のアンテナを用いたセルラー通信を行なう電話機として機能する場合を説明する。また、以下では、グランド接地型のアンテナの一例として、逆Ｆ型アンテナを説明する。なお、グランド接地型のアンテナとしては、逆Ｆ型アンテナ以外にも、たとえば先端接地型のモノポールループアンテナが挙げられる。
【００５４】
図４は、携帯型電話機１に内蔵される回路基板１０Ａを説明するための図である。なお、回路基板１０Ａは、回路基板１０の代わりに用いられる。図４を参照して、回路基板１０Ａには、３つの信号線１２ａ，１２ｂ，１２ｃと、検出回路１３と、回路パターン１４と、グランド線１５と、給電回路１６と、配線１７と、３つの電子部品１８ａ、１８ｂ、１８ｃと、電子部品１９とが配置されている。つまり、回路基板１０Ａは、高周波カット用の電子部品２０を備えていない点において、電子部品２０を備える回路基板１０（図２参照）と異なる。回路パターン１４は、位置９２においてグランド線１５と接続されている。
【００５５】
回路基板１０Ａにおいては、回路基板１０と同様に、回路パターン１４が、操作キー１１にとってのグランドパターンとして機能するとともに、セルラー通信用のアンテナとして機能する。また、回路基板１０Ａでは、配線１７が逆Ｆ型アンテナの給電線として機能し、グランド線１５が逆Ｆ型アンテナの短絡線として機能する。なお、逆Ｆ型アンテナの構成は従来から知られているため、ここでは説明を繰り返さない。
【００５６】
回路パターン１４を逆Ｆ型アンテナとして利用する場合、高周波的に見ると、短絡線による短絡長がコイルとして見える。つまり、高周波的に見ると、グランドに接続されているが、０Ωのショートとして落ちているのではなく、コイルを介して落ちているように見える。このため、回路基板１０Ａでは、回路基板１０で必要であった電子部品２０が不要となる。
【００５７】
以上のように、回路基板１０Ａを備える携帯型電話機１は、グランド接地型のアンテナを用いて無線通信を行なう携帯型電話機である。携帯型電話機１は、（i）操作キー１１と、（ii）操作キー１１に接続された信号線１２と、（iii）信号線１２に接続され、操作キー１１が押下されたことを検出するための検出回路１３と、（iv）グランドに接続されるとともに、操作キー１１が押下されたときに操作キー１１に接続される回路パターン１４と、（v）無線通信に用いる８００ＭＨｚ帯の交流電力を、回路パターン１４に給電するための給電回路１６とを備える。短絡線による回路パターン１４への短絡位置９２は、回路パターン１４を８００ＭＨｚ帯で共振させる位置である。
【００５８】
また、携帯型電話機１は、（vi）信号線１２に設けられた、８００ＭＨｚ帯の交流を遮断するための電子部品１８と、（vii）給電回路１６と回路パターン１４とを接続する配線１７上設けられた、８００ＭＨｚ帯よりも低い周波数帯の交流および直流を遮断するための電子部品１９とをさらに備える。
【００５９】
このように回路基板１０Ａを内蔵した構成の場合であっても、回路基板１０を内蔵した携帯型電話機１と同様の効果を奏する。
【００６０】
（ｅ２．第２の変形例）
上記においては、携帯型電話機１がシングルバンド（８００ＭＨｚ帯）でセルラー通信を行なう構成を例に挙げて説明した。以下では、最初に、携帯型電話機１がデュアルバンド（８００ＭＨｚ帯，２ＧＨｚ帯）でセルラー通信を行なう構成を説明する（図５）。次いで、携帯型電話機１がトリプルバンド（８００ＭＨｚ帯，１．５ＧＨｚ帯，２ＧＨｚ帯）でセルラー通信を行なう構成を説明する（図７）。
【００６１】
図５は、携帯型電話機１がデュアルバンド（８００ＭＨｚ帯，２ＧＨｚ帯）でセルラー通信を実現するための回路基板１０Ｂ，１０Ｃを説明するための図である。
【００６２】
図５（ａ）は、図２と同様、携帯型電話機１がモノポール型アンテナを用いたセルラー通信を行なう場合に、回路基板１０の代わりに利用される回路基板１０Ｂを説明するための図である。
【００６３】
図５（ｂ）は、図４と同様、携帯型電話機１がグランド接地型のアンテナを用いたセルラー通信を行なう場合に、回路基板１０Ａの代わりに利用される回路基板１０Ｃを説明するための図である。
【００６４】
図５（ａ）を参照して、回路基板１０Ｂには、３つの信号線１２ａ，１２ｂ，１２ｃと、検出回路１３と、回路パターン１４Ａと、グランド線１５と、給電回路１６Ａと、配線１７と、３つの電子部品１８ａ、１８ｂ、１８ｃと、電子部品１９と、電子部品２０とが配置されている。
【００６５】
回路パターン１４Ａは、さらにＬ字型の回路部１４１を備える点において、回路パターン１４（図２参照）とは異なる。給電回路１６Ａは、セルラー通信に用いる８００ＭＨｚ帯の交流電力とセルラー通信に用いる２ＧＨｚ帯の交流電力とを、選択的に回路パターン１４Ａに給電する。当該選択は、たとえばユーザの入力（手動）、あるいは自動で行なわれる。また、給電回路１６による回路パターン１４Ａへの給電位置は、回路パターン１４Ａを８００ＭＨｚ帯で共振させるとともに、回路パターン１４Ａを２ＧＨｚ帯で共振させる位置である。
【００６６】
回路パターン１４Ａは、２ＧＨｚ帯でも共振するように、上述したＬ字型の回路部１４１を備えている。つまり、回路基板１０Ｂを備えた携帯型電話機１では、回路パターン１４Ａのうち領域８１が８００ＭＨｚ用のアンテナの機能を果たし、回路パターン１４Ａのうち領域８２が２ＧＨｚ用のアンテナの機能を果たす。Ｌ字型の回路部１４１の長さは、２ＧＨｚの交流で共振するように予め設計されている。
【００６７】
図５（ｂ）を参照して、回路基板１０Ｃには、３つの信号線１２ａ，１２ｂ，１２ｃと、検出回路１３と、回路パターン１４Ａと、グランド線１５と、給電回路１６Ａと、配線１７と、３つの電子部品１８ａ、１８ｂ、１８ｃと、電子部品１９とが配置されている。
【００６８】
回路基板１０Ｃを備えた携帯型電話機１でも、回路基板１０Ｂを備えた携帯型電話機１と同様、回路パターン１４Ａのうち領域８１が８００ＭＨｚ用のアンテナの機能を果たし、回路パターン１４Ａのうち領域８２が２ＧＨｚ用のアンテナの機能を果たす。
【００６９】
以上のように、携帯型電話機１の給電回路１６Ａは、マルチバンド方式で無線通信を行なうために、８００ＭＨｚ帯よりも高い２ＧＨｚ帯の交流電力を、回路パターン１４Ａに給電可能である。回路パターン１４Ａは、８００ＭＨｚ帯の無線通信においてアンテナとして利用する領域８１と、２ＧＨｚ帯の無線通信においてアンテナとして利用する領域８２とを含む。これにより、デュアルバンドを利用する構成であっても、回路基板１０，１０Ａを内蔵した携帯型電話機１と同様に、回路パターン１４Ａを操作キー１１にとってのグランドパターンとして機能させるとともにセルラー通信用のアンテナとして機能させることができる。
【００７０】
なお、グランドと回路パターン１４Ａとを接続するためのグランド線１５は、複数であってもよい。
【００７１】
ところで、シングルバンドの場合には、電子部品１８ａ、１８ｂ、１８ｃ，２０としてチョークコイルをインダクタとして用いた。一方、デュアルバンドの場合には、互いに異なる周波数帯を用いることから、チョークコイルのみでは十分でない場合もある。そこで、以下では、デュアルバンドの場合であっても、シングルバンドの場合と同様に高周波を減衰可能とするための電子部品１８ａ、１８ｂ、１８ｃ，２０の構成について説明する。
【００７２】
図６は、回路基板１０Ｂ，１０Ｃにおける高周波カット用の電子部品１８ａの回路構成を表した図である。図６を参照して、電子部品１８ａは、８００ＭＨｚ帯の交流を遮断するフィルタ１８１と、２ＧＨｚ帯の交流を遮断するフィルタ１８２とを含む。フィルタ１８１とフィルタ１８２とは接続されている。フィルタ１８１およびフィルタ１８２として、たとえば、ノッチフィルタを用いることができる。
【００７３】
フィルタ１８１は、コイル１８１１とコンデンサ１８１２とを含む。コイル１８１１とコンデンサ１８１２とは、並列に接続されている。フィルタ１８２は、コイル１８２１とコンデンサ１８２２とを含む。コイル１８２１とコンデンサ１８２２とは、並列に接続されている。
【００７４】
コイル１８１１のインダクタンス（Ｌ）およびコンデンサ１８１２の容量（Ｃ）は、以下の数式（１）が成り立つ値であればよい。たとえば、中心周波数（ｆ０）を約８５０ＭＨｚとして、Ｌ＝１０［ｎＨ］，Ｃ＝３．５［ｐＦ］にすればよい。
【００７５】
ｆ０ ＝ １／（２π（ＬＣ）１／２）  …  （１）
また、コイル１８２１のインダクタンス（Ｌ）およびコンデンサ１８２２の容量（Ｃ）も、数式（１）が成り立つ値であればよい。たとえば、中心周波数（ｆ０）を約２．０５ＧＨｚとして、Ｌ＝１０［ｎＨ］，Ｃ＝０．６［ｐＦ］にすればよい。
【００７６】
このようなフィルタ１８１，１８２を含む電子部品１８ａを採用することにより、デュアルバンドの両周波数帯においても、高周波を遮断可能となる。なお、回路基板１０Ｂ，１０Ｃにおける電子部品１８ｂ，１８ｃ，２０についても、電子部品１８ａと同様の構成を有するため、ここでは説明を繰り返さない。
【００７７】
（ｅ３．第３の変形例）
図７は、携帯型電話機１がトリプルバンド（８００ＭＨｚ帯，１．５ＧＨｚ帯，２ＧＨｚ帯）でセルラー通信を実現するための回路基板１０Ｄ，１０Ｅを説明するための図である。
【００７８】
図７（ａ）は、図２と同様、携帯型電話機１がモノポール型アンテナを用いたセルラー通信を行なう場合に、回路基板１０の代わりに利用される回路基板１０Ｄを説明するための図である。
【００７９】
図７（ｂ）は、図４と同様、携帯型電話機１がグランド接地型のアンテナを用いたセルラー通信を行なう場合に、回路基板１０Ａの代わりに利用される回路基板１０Ｅを説明するための図である。
【００８０】
図７（ａ）を参照して、回路基板１０Ｄは、３つの信号線１２ａ，１２ｂ，１２ｃと、検出回路１３と、回路パターン１４Ｂと、グランド線１５と、給電回路１６Ｂと、配線１７と、３つの電子部品１８ａ、１８ｂ、１８ｃと、電子部品１９と、電子部品２０とが配置されている。
【００８１】
回路パターン１４Ｂは、さらにＬ字型の回路部１４２を備える点において、回路パターン１４Ａ（図５参照）とは異なる。給電回路１６Ｂは、８００ＭＨｚ帯の交流電力と１．５ＧＨｚ帯の交流電力と２ＧＨｚ帯の交流電力とを、選択的に回路パターン１４Ｂに給電する。当該選択は、たとえばユーザの入力（手動）、あるいは自動で行なわれる。また、給電回路１６Ｂによる回路パターン１４Ｂへの給電位置９１は、８００ＭＨｚ帯，１．５ＧＨｚ帯、および２ＧＨｚ帯で、回路パターン１４Ｂを共振させる位置である。
【００８２】
回路パターン１４Ｂは、１．５ＧＨｚ帯でも共振するように、上述したＬ字型の回路部１４２を備えている。つまり、回路基板１０Ｄを備えた携帯型電話機１では、回路パターン１４Ｂのうち領域８３が１．５ＧＨｚ用のアンテナの機能を果たす。なお、Ｌ字型の回路部１４２の長さは、１．５ＧＨｚの交流で共振するように予め設計されている。また、図７（ａ）は、１．５ＧＨｚと８００ＭＨｚとで回路パターン１４Ｂの一部を共用する構成を例に挙げている。
【００８３】
図７（ｂ）を参照して、回路基板１０Ｅには、３つの信号線１２ａ，１２ｂ，１２ｃと、検出回路１３と、回路パターン１４Ｂと、グランド線１５と、給電回路１６Ｂと、配線１７と、３つの電子部品１８ａ、１８ｂ、１８ｃと、電子部品１９とが配置されている。
【００８４】
回路基板１０Ｅを備えた携帯型電話機１でも、回路基板１０Ｂを備えた携帯型電話機１と同様、回路パターン１４Ｂのうち領域８３が１．５ＧＨｚ用のアンテナの機能を果たす。
【００８５】
以上のように、携帯型電話機１の給電回路１６Ｂは、マルチバンド方式で無線通信を行なうために、８００ＭＨｚ帯よりも高い１．５ＧＨｚ帯の交流電力と２ＧＨｚ帯の交流電力とを回路パターン１４Ｂに給電可能である。回路パターン１４Ｂは、８００ＭＨｚ帯の無線通信においてアンテナとして利用する領域８１と、１．５ＧＨｚ帯の無線通信においてアンテナとして利用する領域８３と、２ＧＨｚ帯の無線通信においてアンテナとして利用する領域８２とを含む。これにより、トリプルバンドを利用する構成であっても、回路基板１０，１０Ａ，１０Ｂ，１０Ｃを内蔵した携帯型電話機１と同様に、回路パターン１４Ｂを操作キー１１にとってのグランドパターンとして機能させるとともにセルラー通信用のアンテナとして機能させることができる。
【００８６】
なお、グランドと回路パターン１４Ｂとを接続するためのグランド線１５は、複数であってもよい。
【００８７】
次に、トリプルバンドの場合であっても、シングルバンドの場合と同様に高周波を減衰可能とするための電子部品１８ａ、１８ｂ、１８ｃ，２０の構成について説明する。
【００８８】
図８は、回路基板１０Ｄ，１０Ｅにおける高周波カット用の電子部品１８ａの回路構成を表した図である。図８を参照して、電子部品１８ａは、８００ＭＨｚ帯の交流を遮断するフィルタ１８１と、２ＧＨｚ帯の交流を遮断するフィルタ１８２と、１．５ＧＨｚ帯の交流を遮断するフィルタ１８３とを含む。フィルタ１８１とフィルタ１８２とフィルタ１８３とは接続されている。フィルタ１８３として、フィルタ１８１，１８２と同様、たとえばノッチフィルタを用いることができる。
【００８９】
フィルタ１８３は、コイルと１８３１とコンデンサ１８３２とを含む。コイル１８３１とコンデンサ１８３２とは、並列に接続されている。コイル１８３１のインダクタンス（Ｌ）およびコンデンサ１８３２の容量（Ｃ）も、数式（１）が成り立つ値であればよい。たとえば、中心周波数を約１．４５ＧＨｚとして、Ｌ＝１０［ｎＨ］，Ｃ＝１．２［ｐＦ］にすればよい。
【００９０】
このようなフィルタ１８１，１８２，１８３を含む電子部品１８ａを採用することにより、トリプルバンドの３つの周波数帯においても、高周波を遮断可能となる。なお、回路基板１０Ｄ，１０Ｅにおける電子部品１８ｂ，１８ｃ，２０についても、電子部品１８ａと同様の構成を有するため、ここでは説明を繰り返さない。
【００９１】
（ｅ４．第４の変形例）
上記第２の変形例で説明した回路基板１０Ｂ（図５（ａ）参照）では、１つの回路パターン１４Ａを、８００ＭＨｚ用のモノポール型アンテナおよび２ＧＨｚ用のモノポール型アンテナとして用いた。以下では、８００ＭＨｚ用のモノポール型アンテナと２ＧＨｚ用のモノポール型アンテナとで異なる回路パターンを用いる構成を説明する。
【００９２】
図９は、携帯型電話機１がデュアルバンド（８００ＭＨｚ帯，２ＧＨｚ帯）でセルラー通信を実現するための回路基板１０Ｆを説明するための図である。図９を参照して、回路基板１０Ｆには、信号線１２ａ，１２ｂ，１２ｃと、検出回路１３と、回路パターン１４Ｃ、１４Ｄと、グランド線１５，１５Ａと、給電回路１６，１６Ｃと、配線１７，１７Ａと、電子部品１８ａ、１８ｂ、１８ｃと、電子部品１９，１９Ａと、電子部品２０，２０Ａとが配置されている。
【００９３】
つまり、回路基板１０Ｆは、グランド線１５Ａと、給電回路１６Ｃと、配線１７Ａと、電子部品１９Ａと、電子部品２０Ａとを備える点において、図５（ａ）の回路基板１０Ｂと異なる。また、回路基板１０Ｆは、２つの回路パターン１４Ｃ，１４Ｄを備える点において、１つの回路パターン１４Ａを備える回路基板１０Ｂと異なる。
【００９４】
回路パターン１４Ｃは、操作キー１１ａにとってのグランドパターンとして機能するとともに、８００ＭＨｚ用のアンテナとして機能する。
【００９５】
グランド線１５Ａは、回路パターン１４Ｄとグランドとを接続するための配線である。
給電回路１６Ｃは、セルラー通信に用いる２ＧＨｚ帯の交流電力を、回路パターン１４Ｆに給電するための給電回路である。給電回路１６Ｃによる回路パターン１４Ｄへの給電位置は、回路パターン１４Ｄを２ＧＨｚで共振させる位置である。回路パターン１４Ｄは、２ＧＨｚで共振するように経路長が設定されている。
【００９６】
電子部品１９Ａは、給電回路１６Ｃと回路パターン１４Ｄとを接続する配線１７Ａ上に設けられた、８００ＭＨｚ帯よりも低い予め定められた周波数帯の交流およびは直流（上述した低周波）を遮断するための低周波カット用の電子部品である。電子部品１９Ａは、電子部品１９と同様、たとえばコンデンサである。携帯型電話機１が、低周波カット用の電子部品１９Ａを備える目的は、電子部品１９と同様、操作キー１１の押下の検出に使われる直流電圧により、高周波回路側が破壊されることを防ぐためである。
【００９７】
電子部品２０Ａは、グランド線１５Ａ上に設けられた、２ＧＨｚ帯の交流を遮断するための高周波カット用の電子部品である。電子部品２０Ａは、電子部品２０と同様に、インダクタ（たとえばチョークコイル）である。
【００９８】
このような構成により、回路パターン１４Ｄは、操作キー１１ｂ、１１ｃにとってのグランドパターンとして機能するとともに、２ＧＨｚ用のアンテナとして機能することができる。
【００９９】
（ｅ５．第５の変形例）
上記第２の変形例で説明した回路基板１０Ｃ（図５（ｂ）参照）では、１つの回路パターン１４Ａを、８００ＭＨｚ用のグランド接地型のアンテナおよび２ＧＨｚ用のグランド接地型のアンテナとして用いた。以下では、８００ＭＨｚ用のグランド接地型のアンテナと２ＧＨｚ用のグランド接地型のアンテナとで異なる回路パターンを用いる構成を説明する。
【０１００】
図１０は、携帯型電話機１がデュアルバンド（８００ＭＨｚ帯，２ＧＨｚ帯）でセルラー通信を実現するための回路基板１０Ｇを説明するための図である。図１０を参照して、回路基板１０Ｇには、信号線１２ａ，１２ｂ，１２ｃと、検出回路１３と、回路パターン１４Ｃ、１４Ｄと、グランド線１５，１５Ａと、給電回路１６，１６Ｃと、配線１７，１７Ａと、電子部品１８ａ、１８ｂ、１８ｃと、電子部品１９，１９Ａとが配置されている。つまり、回路基板１０Ｇは、電子部品２０，２０Ａとを備えていない点において、図９の回路基板１０Ｆと異なる。
【０１０１】
回路基板１０Ｇにおいては、回路基板１０Ｆと同様に、回路パターン１４Ｃが、操作キー１１ａにとってのグランドパターンとして機能するとともに、８００ＭＨｚ用のアンテナとして機能することができる。また、回路パターン１４Ｄが、操作キー１１ｂ、ｃにとってのグランドパターンとして機能するとともに、２ＧＨｚ用のアンテナとして機能することができる。さらに、回路基板１０Ｇでは、配線１７，１７Ａが逆Ｆ型アンテナの給電線として機能し、グランド線１５，１５Ａが逆Ｆ型アンテナの短絡線として機能することになる。
【０１０２】
（ｅ６．第６の変形例）
上記においては、ストレート型の携帯型電話機を例に挙げて説明したが、これに限定されるものではなく、折畳型（クラムシェル型）の携帯型電話機等の無線通信端末にも適用可能である。
【０１０３】
（ｅ７．第７の変形例）
上記においては、電子部品１９，１９Ａが、８００ＭＨｚ帯よりも低い予め定められた周波数帯の交流（たとえば１００ＭＨｚ以下の周波数）およびは直流を遮断する構成を例に挙げて説明したが、これに限定されるものではない。たとえば、直流のみを遮断するように、電子部品１９，１９Ａを構成してもよい。この場合であっても、操作キー１１の押下の検出に使われる直流電圧により、高周波回路側が破壊されることを防ぐことができる。
【０１０４】
（ｅ８．第８の変形例）
（１）回路基板１０（図２）を備える携帯型電話機１において、給電回路１６による回路パターン１４への給電位置９１は、回路パターン１４を８００ＭＨｚ帯で共振させる位置であるとして説明した。しかしながら、これに限定されるものではなく、回路パターン１４への給電位置９１は、８００ＭＨｚ帯のアンテナとして利用できる位置であればよい。
【０１０５】
（２）また、回路基板１０Ａ（図４）を備える携帯型電話機１において、短絡線による回路パターン１４への短絡位置９２は、回路パターン１４を８００ＭＨｚ帯で共振させる位置である。として説明した。しかしながら、これに限定されるものではなく、回路パターン１４への短絡位置は、８００ＭＨｚ帯のアンテナとして利用できる位置であればよい。
【０１０６】
（３）さらに、回路基板１０Ｂ（図５（ａ））を備える携帯型電話機１において、給電回路１６Ａによる回路パターン１４Ａへの給電位置９１は、回路パターン１４Ａを８００ＭＨｚ帯で共振させるとともに、回路パターン１４Ａを２ＧＨｚ帯で共振させる位置であるとして説明した。しかしながら、これに限定されるものではなく、回路パターン１４Ａへの給電位置は、８００ＭＨｚ帯のアンテナと、２ＧＨｚ帯のアンテナとして利用できる位置であればよい。
【０１０７】
（４）また、回路基板１０Ｃ（図５（ｂ））を備える携帯型電話機１において、短絡線による回路パターン１４Ａへの短絡位置９２は、回路パターン１４Ａを８００ＭＨｚ帯で共振させるとともに、回路パターン１４Ａを２ＧＨｚ帯で共振させる位置であるとして説明した。しかしながら、これに限定されるものではなく、回路パターン１４Ａへの短絡位置は、８００ＭＨｚ帯のアンテナと、２ＧＨｚ帯のアンテナとして利用できる位置であればよい。
【０１０８】
（５）また、回路基板１０Ｄ（図７（ａ））を備える携帯型電話機１において、給電回路１６Ｂによる回路パターン１４Ｂへの給電位置９１は、８００ＭＨｚ帯，１．５ＧＨｚ帯、および２ＧＨｚ帯で、回路パターン１４Ｂを共振させる位置であるとして説明した。しかしながら、これに限定されるものではなく、回路パターン１４Ｂへの給電位置９１は、８００ＭＨｚ帯のアンテナと、１．５ＧＨｚ帯のアンテナと、２ＧＨｚ帯のアンテナとして利用できる位置であればよい。
【０１０９】
（６）さらに、回路基板１０Ｅ（図７（ｂ））を備える携帯型電話機１において、短絡線による回路パターン１４Ｂへの短絡位置９２は、８００ＭＨｚ帯，１．５ＧＨｚ帯、および２ＧＨｚ帯で、回路パターン１４Ｂを共振させる位置であるとして説明した。しかしながら、これに限定されるものではなく、回路パターン１４Ｂへの短絡位置は、８００ＭＨｚ帯のアンテナと、１．５ＧＨｚ帯のアンテナと、２ＧＨｚ帯のアンテナとして利用できる位置であればよい。
【０１１０】
（ｅ９．第９の変形例）
上記においては、複数の周波数帯として、３つの異なる周波数帯８００ＭＨｚ，１．５ＧＨｚ，２ＧＨｚを例に挙げて説明した。しかしながら、このように数百ＭＨｚ以上離れた複数の周波数帯に限定されるものではない。上述した内容は、以下に述べる構成にも適用できる。
【０１１１】
３ＧＰＰ（3rd Generation Partnership Project）では、ＬＴＥ−Ａ（Long Term Evolution-Advanced）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域を越える１００ＭＨｚまでの帯域）をサポートすることが求められている。しかしながら、世界的に連続した広帯域の周波数領域をＬＴＥ−Ａ用として確保することは難しい。
【０１１２】
それゆえ、ＬＴＥ−Ａでは、ＬＴＥとの互換性を可能な限り維持する目的から、キャリアアグリゲーション（ＣＡ：Career Aggregation）技術が検討されている。キャリアアグリゲーション技術は、コンポーネントキャリア（ＣＣ：Component Career）と呼ばれる帯域幅が２０ＭＨｚまでの周波数帯域を複数まとめて通信を行うことにより最大１００ＭＨｚの帯域幅を確保し、これにより高速かつ大容量の通信を実現させる技術である。
【０１１３】
したがって、キャリアアグリゲーションを行う携帯型電話機においては、複数の周波数帯として、異なるコンポーネントキャリアの周波数を用いることができる。
【０１１４】
（ｅ１０．第１０の変形例）
１つのアンテナを複数の周波数帯の無線システムで共用してもよい。たとえば、２ＧＨｚ帯のアンテナを１．７ＧＨｚ帯のアンテナと共用する構成も考えられる。つまり、図５に基づけば、領域８２の部分を２ＧＨｚ帯と１．７ＧＨｚ帯とのアンテナとして動作させることもできる。ただし、この場合、電子部品１８を、８００ＭＨｚ帯および２ＧＨｚ帯の高周波に加え、１．７ＧＨｚ帯の高周もカットできるフィルタとして構成する必要がある。
【０１１５】
また、このようなアンテナの共用は、２ＧＨｚ帯と１．７ＧＨｚ帯に限らず様々な周波数帯で考えられる。さらに、異なる無線システムのアンテナ、たとえばＧＰＳ（Global Positioning System）アンテナおよび無線ＬＡＮアンテナなどの組合せにおいても、アンテナの共用は可能である。
【０１１６】
（ｅ１１．第１１の変形例）
上記においては、高周波カット用の電子部品（主としてインダクタ）および低周波カット用の電子部品（コンデンサ）を含む回路が、集中定数回路として構成されている場合を例に挙げて説明した。しかしながら、これに限定されるものではない。集中定数回路における電子部品の代わりに、マイクロストリップで構成されるような分布定数回路を用いてもよい。すなわち、高周波カット用の電子部品および低周波カット用の電子部品の各々を、分布定数回路で構成してもよい。
【０１１７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１１８】
１  携帯型電話機、９  液晶ディスプレイ、１０，１０Ａ，１０Ｂ，１０Ｃ，１０Ｄ，１０Ｅ，１０Ｆ，１０Ｇ  回路基板、１１ａ，１１ｂ，１１ｃ  操作キー、１２ａ，１２ｂ，１２ｃ  信号線、１３  検出回路、１４  回路パターン、１５，１５Ａ  グランド線、１６，１６Ａ，１６Ｂ，１６Ｃ  給電回路、１７，１７Ａ  配線、１８ａ，１８ｂ，１８ｃ，１９，１９Ａ，２０，２０Ａ  電子部品、８１，８２，８３，Ｑ１，Ｑ２  領域、９１  給電位置、１４１，１４２  回路部、１８１，１８２，１８３  フィルタ、１８１１，１８２１，１８３１  コイル、１８１２，１８２２，１８３２  コンデンサ。
【図１】
0005758282.tif 000002
【図２】
0005758282.tif 000003
【図３】
0005758282.tif 000004
【図４】
0005758282.tif 000005
【図５】
0005758282.tif 000006
【図６】
0005758282.tif 000007
【図７】
0005758282.tif 000008
【図８】
0005758282.tif 000009
【図９】
0005758282.tif 000010
【図１０】
0005758282.tif 000011
【図１１】
0005758282.tif 000012